(57)【要約】      （修正有）【課題】ロール紙を日常生活における身の回り品として、使い勝手よく多用途に、かつ、おしゃれに使用することができるロール紙容器及びその展開体並びにロール紙を提供する。【解決手段】所定長さの薄葉紙を操出可能にロール状に巻回したロール紙５を収納する容器であって、所定面積を有する平板状の底部と、底部の外周に立設した中空の胴部３と、胴部の上端開放部を開閉可能に覆蓋する蓋部４とからなり、ロール紙５を操出可能な取出口８を胴部３に形成する。【選択図】図８
0003190242.tif 000002
【実用新案登録請求の範囲】
【請求項１】
所定長さの薄葉紙を操出可能にロール状に巻回したロール紙を収納する容器であって、
所定面積を有する平板状の底部と、底部の外周に立設した中空の胴部と、胴部の上端開放部を開閉可能に覆蓋する蓋部とからなり、ロール紙を操出可能な取出口を胴部に形成したことを特徴とするロール紙容器。
【請求項２】
切り離し可能な開ループ状の切込を胴部に形成し、該切込を切り離すことによって取出口を形成可能とした請求項１記載のロール紙容器。
【請求項３】
切り離された開ループ状の切込は、胴部に連接した取出口カバーを形成する請求項２記載のロール紙容器。
【請求項４】
取出口カバーの開放端部を波形に曲成した請求項３記載のロール紙容器。
【請求項５】
取出口カバーを外方に拡開した状態に付勢した請求項３又は４記載のロール紙容器。
【請求項６】
底部にロール紙を回転可能に支持する起立片を立設した請求項１，２，３，４又は５記載のロール紙容器。
【請求項７】
起立片を起伏可能とした請求項６記載のロール紙容器。
【請求項８】
請求項１〜請求項７のいずれかに記載したロール紙容器が、連続した１つの平面体に展開されているロール紙容器の展開体。
【請求項９】
請求項１〜請求項７のいずれかに記載したロール紙容器に、所定長さの薄葉紙を操出可能にロール状に巻回して収納したロール紙。
【請求項１０】
請求項６又は請求項７に記載したロール紙容器に、ロール紙の芯材を起立片に遊嵌することによって現位置で回転可能に支持し、ロール紙の先端を取出口から繰り出し可能に収納したロール紙。
【請求項１１】
薄葉紙が中空の芯材に操出可能にロール状に巻回したロールティッシュ，トイレットペーパー，キッチンペーパー又はペーパータオルから選択された１種である請求項９又は１０記載のロール紙。
【考案の詳細な説明】
【技術分野】
【０００１】
本考案はロールティッシュ，トイレットペーパー，キッチンペーパー，ペーパータオル等の所定長さの薄葉紙を操出可能にロール状に巻回したロール紙を収納し、日常生活における身の回り品として、使い勝手よく多用途に、かつ、おしゃれに使用するためのロール紙容器及びその展開体並びにロール紙に関するものである。
【背景技術】
【０００２】
ロール紙の一種であるトイレットペーパーは、トイレで使用する本来の用途に加えて、身の回り品として、矩形状のティッシュを操出可能に積層した箱型のティッシュに代えたロールティッシュとして多用途に使用されることがある。しかしながら、剥き出しのままでは、如何にもトイレットペーパーを転用するイメージが強すぎ、又非衛生的でもあるため、使用を躊躇うことが多く、便宜ではあっても一般的に認知されていない。
【０００３】
そこで、従来より上記課題を解決するために、トイレットペーパーを卓上で使用するための容器が提供されている。例えば、トイレットペーパーを任意の長さに片手で容易に切断でき、切断後に紙端が常に容器外へ延出した状態となって次回使用時に掴み易くするために、箱状に形成したロール紙容器であって、前板外側に、先端下部に紙切り歯を付設した紙切り板を形成し、該紙切り板の下方に紙出し孔と紙受け板を形成し、前板内側にはゴム板を接着したストッパーを付設し、左右の側板の内側には、大芯棒を受ける角溝と小芯棒を受けるＶ字溝を形成した卓上ロール紙容器が提供されている（特許文献１）。
【０００４】
また、キッチンペーパーやロールペーパーもロール紙の一種として、調理用具や拭き取り用具として、清拭や吸収等の多用途に使用されているが、やはり剥き出しのまま使用されることが多い。これらのロール紙の利便性は、いずれも必要長さだけを最小限で、或いは任意の長さを必要なだけエンドレスに繰り出すことができることである。
【０００５】
この高い利便性故に、イメージや衛生上の問題があるとしてもトイレットペーパー等のロール紙を剥き出しのままで使用することが行われ、或いは特許文献１に示すような収納容器の提案が行われている。
【先行技術文献】
【特許文献】
【０００６】
【特許文献１】実用新案登録第３０１４００７号公報
【考案の概要】
【考案が解決しようとする課題】
【０００７】
しかしながら、特許文献１に示すような卓上ロール紙容器は、包装手段から取り出したロール紙を改めて収納する必要があり、その手間が掛かり実用性に乏しい。また、その構造も複雑であって使い勝手がよいとはいえない。一方において、剥き出しのままでトイレットペーパーをロールティッシュとして転用するのはイメージが悪く、又ロール紙であるため卓上で不用意に転がることも多く使い勝手が悪い。そこで、トイレットペーパーの芯を抜いて、トイレットペーパーの内部から繰り出す方法も行われているが、芯を抜くのは決して容易ではなく、又芯を抜いて潰れたトイレットペーパーは益々見映えが悪くなってしまう。同様に、キッチンペーパーやロールペーパーも剥き出しのままでは、見映えが悪く、非衛生的でもある。
【０００８】
また、トイレットペーパー等のロール紙は、巻紙やフィルム等によって包装されて販売に供されているため、購入時にはロール紙を目視したり、その意匠を確認することができない。更に、使用のためにロール紙を取り出した後は、包装手段は廃棄されてしまうのが現状であり、包装手段は無駄となってしまう。
【０００９】
そこで、本考案はロール紙を日常生活における身の回り品として、使い勝手よく多用途に、かつ、おしゃれに使用することができ、しかもロール紙の包装容器，輸送容器，保管容器，使用容器となるロール紙容器及びその展開体並びにロール紙を提供することを目的とする。
【課題を解決するための手段】
【００１０】
本考案は上記目的を達成するために、所定長さの薄葉紙を操出可能にロール状に巻回したロール紙を収納する容器であって、所定面積を有する平板状の底部と、底部の外周に立設した中空の胴部と、胴部の上端開放部を開閉可能に覆蓋する蓋部とからなり、ロール紙を操出可能な取出口を胴部に形成したロール紙容器を基本として提供する。
【００１１】
そして、切り離し可能な開ループ状の切込を胴部に形成し、該切込を切り離すことによって取出口を形成可能とする。また、切り離された開ループ状の切込は、胴部に連接した取出口カバーを形成し、取出口カバーの開放端部を波形に曲成し、取出口カバーを外方に拡開した状態に付勢する。更に、底部にロール紙を回転可能に支持する起立片を立設し、起立片を起伏可能とした。
【００１２】
更に、上記構成のロール紙容器が連続した１つの平面体に展開されているロール紙容器の展開体、及び上記構成のロール紙容器に、所定長さの薄葉紙を操出可能にロール状に巻回して収納したロール紙を提供する。そして、ロール紙の芯材を起立片に遊嵌することによって現位置で回転可能に支持し、ロール紙の先端を取出口から繰り出し可能に収納する。ロール紙とは中空の芯材に操出可能にロール状に巻回したロールティッシュ，トイレットペーパー，キッチンペーパー又はペーパータオルから選択された１種である。
【考案の効果】
【００１３】
本考案にかかるロール紙容器に収納したロール紙によれば、トイレットペーパー等のロール紙を操出自在に収納することができるため、ロール紙を剥き出しのまま使用する不快感を解消し、更にはロール紙容器のデザインや意匠によって、ロール紙を身の回り品としておしゃれに使用することができる。そのため、ロール紙が持つ必要長さだけを最小限で、或いは任意の長さをエンドレスに繰り出すことができる利便性を最大限に活かすことができる。しかも、ロール紙の取出口は取出口カバーによって被覆されているため、取り出しが容易であるとともに、埃等の侵入を防ぐことができ、衛生的である。
【００１４】
また、ロール紙容器は、そのままロール紙の包装容器となり、輸送容器，保管容器としても機能し、購入者はそのまま使用容器として利用することができる。しかも、ロール紙の使用終了後も他の容器として転用したり、新たなロール紙を補充して再利用することが可能である。ロール紙容器に収納したロール紙は、芯材を起立片に遊嵌して収納することによってロール紙を現位置で回転させることができ、ロール紙の残量が少なくなっても円滑に繰り出して使用することが可能である。また、起立片は起伏可能であるため、不要の場合には伏臥させて使用することもできる。
【００１５】
また、本考案にかかるロール紙容器の展開体は平板状であり、必要に応じてワンタッチで立体的なロール紙容器に組み立てることができるため、ロール紙容器の輸送時や保管時における減容化を図ることができる。更に、廃棄時においても容易に平板状に分解できるため、廃棄が容易である。
【図面の簡単な説明】
【００１６】
【図１】本考案にかかるロール紙容器の全体斜視図。
【図２】図１の中央縦断面図。
【図３】図１の中央横断面図。
【図４】ロール紙容器の展開体の平面図。
【図５】ロール紙容器の組立図。
【図６】ロール紙容器の組立図。
【図７】ロール紙容器の組立図。
【図８】本考案にかかるロール紙の全体斜視図。
【図９】図８の中央縦断面図。
【図１０】図８の中央横断面図。
【考案を実施するための形態】
【００１７】
以下図面に基づいて本考案にかかるロール紙容器及びその展開体並びにロール紙の実施形態を説明する。図１は本考案にかかるロール紙容器１の全体斜視図、図２はその中央縦断面図、図３はその中央横断面図である。ロール紙容器１は、六角形状で平板状の底部２と、底部２の各辺の外周から垂直に立設した中空の断面六角形状の胴部３と、底部２と同一形状であって胴部３の上端開放部を開閉可能に覆蓋する蓋部４とから構成されている。
【００１８】
ロール紙容器１は、所定長さの薄葉紙を操出可能にロール状に巻回したロール紙５（図８参照）を収納する容器であり、底部２は収納するロール紙５を載置することが可能な所定面積を有する六角形状を有する。底部２の形状は特に限定はなく、六角形状以外の各種の多角形や円形，楕円形や異形形状であってもよい。図示例では、卓上等において胴部３を接地面とした場合にも転がることがないように、かつ、手持ちする際の持ち易さや掴み易さを考慮して六角形状とした。
【００１９】
胴部３は、六角形状の底部２の各辺から垂直に立設しており、収納するロール紙５の高さ寸法を超える高さ寸法を有する。胴部３の形状も特に限定はなく、底部２の形状に応じて適宜の形状を選択する。胴部３に囲繞された底部２には、ロール紙５の中空の芯材を挿通して現位置で回転可能に支持することが可能な一対の起立片６ａ，６ｂを立設する。起立片６ａ，６ｂは起伏可能であり、必要に応じて起立又は伏臥の状態を選択することができる。また、底部２に起立片６ａ，６ｂを形成しないようにしてもよい。
【００２０】
胴部３における底部２と反対側の上端開放部の一辺に蓋部４が連接され、この蓋部４によって胴部３の上端開放部を開閉可能に覆蓋することができ、ロール紙容器１内にロール紙５を収納し、或いは取り出すことができる。
【００２１】
また、胴部３の任意の位置には、ロール紙５の端部を繰り出すことができるように、底部２と直交する方向に取出口８（図８参照）を形成してある。取出口８は、胴部３の一面に形成した切り離し可能な開ループ状の切込９を切り離すことによって形成する。一方、切り離された開ループ状の切込９は、胴部３に連接され、取出口８を被覆可能な取出口カバー１０（図８参照）を形成する。取出口カバー１０の胴部３に連接された連接部１１はハーフスリットや折目等の適宜の手段によって屈曲可能であって、取出口カバー１０を外方に拡開した状態に付勢して取出口８を開口状態に保持し、或いは取出口カバー１０を閉じることによって取出口８を覆蓋状態に保持することができる。更に、ロール紙５の端部を取出口から少し繰り出した状態で取出口カバー１０を閉じることによって、次回の使用時にロール紙５を繰り出すことが容易となるように、取出口カバー１０によって、ロール紙５の端部が胴部３外に延出した状態に保持することもできる。
【００２２】
更に、取出口カバー１０の開放端部１０ａは波形に曲成してある。波形とすることによって先鋭なエッジがないため、使用時に指を引っかけ難く、安全であるとともに、デザイン上の特徴ともなる。さらに、波形としたことによって繰り出したロール紙５の切除手段として利用することが可能となる。なお、開放端部１０ａの形状は、安全でロール紙５を容易に取り出すことができる形状であれば、特に限定はない。
【００２３】
ロール紙容器１は、図４に示すように、連続した１つの平面体に展開されたロール紙容器の展開体１２から構成する。このロール紙容器の展開体１２の構成及びロール紙容器の展開体１２からロール紙容器１を組み立てる工程を図４〜図７に基づいて説明する。ロール紙容器の展開体１２の素材としては、保形性と可撓性を有する平板状のシート材であればよく、特に限定はないが、軽量で加工性・透明性に優れたポリプロピレン（ＰＰ）が最も適している。また、その他コートボール等の紙も使用可能である。また、素材の厚みにも限定はなく強度や素材に応じて適宜選択すればよい。
【００２４】
ロール紙容器の展開体１２には、胴部３を形成するための矩形状の胴部シート１３が形成されている。この胴部シート１３の折曲線Ｂ１，Ｂ２，Ｂ３，Ｂ４，Ｂ５はハーフスリットや折目等の適宜の手段によって六角形状に曲成可能に、６枚の胴部シート１３ａ，１３ｂ，１３ｃ，１３ｄ，１３ｅ，１３ｆに分割形成されている。
【００２５】
そして、図４において右から２枚目の胴部シート１３ｂの一方の開放端部には底部２を形成するための六角形状の第１底部シート１４の一辺が連接され、その連接部はハーフスリットや折目等の折曲線Ｂ７として形成されている。そして、第１底部シート１４の中央部には、起立片６ａ，６ｂを形成するための一対のＵ字状の切込７ａ，７ｂが穿設されている。Ｕ字状の切込７ａ，７ｂの連接部７ｃはハーフスリットや折目等適宜の手段によって屈曲可能であって、起立片６ａ，６ｂを起立させた状態に保持することができる。起立片６ａ，６ｂは起伏可能であるため、不要の場合には伏臥させておくこともできる。また、折曲線Ｂ７と対面する第１底部シート１４の開放端部の中央部には、折曲線Ｂ８を介して挿入片１４ａが突設され、その両側の第１底部シート１４の開放端部の全域にも、それぞれ折曲線Ｂ９，Ｂ１０を介して挿入片１４ｂ，１４ｃが突設されている。
【００２６】
また、右から５枚目の胴部シート１３ｅにおける第１底部シート１４側の端部には、第２底部シート１５の一辺が連接されている。この第２底部シート１５は、第１底部シート１４とともに底部２を形成するものであり、第１底部シート１４と同一形状を有している。この第２底部シート１５と胴部シート１３ｅとの連接部をハーフスリットや折目等の折曲線Ｂ１１として形成するとともに、折曲線Ｂ１１の中央部には、前記した第１底部シート１４の挿入片１４ａを挿通可能なスリットＳ１が穿設されている。そして、第２底部シート１５の中央部には、第１底部シート１４の起立片６ａ，６ｂを挿通可能な一対のＵ字状の切込１６ａ，１６ｂが穿設されている。また、折曲線Ｂ１１と対面する第２底部シート１５の開放端部の両側の開放端部の中央部にも折曲線Ｂ１２，Ｂ１３を介して挿入片１５ａ，１５ｂが突設されている。更に、胴部シート１３ｅの第２底部シート１５と反対方向の開放端部の全域には、折曲線Ｂ２２を介して挿入片１３ｅ１を突設するとともに、折曲線Ｂ２２の中央部には、後述する蓋部シート１７の挿入片１７ａを挿通可能なスリットＳ４が穿設されている。
【００２７】
更に、右から２枚目の胴部シート１３ｂの第１底部シート１４と反対方向の開放端部には蓋部４を形成するための六角形状の蓋部シート１７の一辺が連接され、その連接部はハーフスリットや折目等の折曲線Ｂ１４として形成されている。そして、折曲線Ｂ１４と対面する蓋部シート１７の開放端部の中央部には、折曲線Ｂ１５を介して挿入片１７ａが突設され、その両側の蓋部シート１７の開放端部の全域にも、それぞれ折曲線Ｂ１６，Ｂ１７を介して挿入片１７ｂ，１７ｃが突設されている。
【００２８】
一方、胴部シート１３ａの第１底部シート１４及び蓋部シート１７方向の開放端部の全域には、それぞれ折曲線Ｂ１８，Ｂ１９を介して挿入片１３ａ１，１３ａ２を突設するとともに、胴部シート１３ｂと反対方向の開放端部の全域には、胴部シート１３ｆと接着するための接着片１３ａ３が折曲線Ｂ６を介して突設している。なお、折曲線Ｂ１８の中央部には、前記した第２底部シート１５の挿入片１５ｂを挿通可能なスリットＳ２が穿設されている。
【００２９】
更に、胴部シート１３ｃの第１底部シート１４及び蓋部シート１７方向の開放端部の全域には、それぞれ折曲線Ｂ２０，Ｂ２１を介して挿入片１３ｃ１，１３ｃ２が突設されている。そして、胴部シート１３ｃの中央部には切り離し可能な開ループ状の切込９が連接部１１を介して穿設されており、この開ループ状の切込９を切り離すことによって取出口８を形成することができる。なお、開ループ状の切込９は、バージン性を確認するために、或いはロール紙容器１を小物入れや他の用途への転用時において、切り離すことなく使用することを可能とするために、点結合等によって切離可能な連結点を部分的に有するようにするとよい。更には、当初から打ち抜き形成しておいてもよい。また、折曲線Ｂ２０の中央部には、前記した第２底部シート１５の挿入片１５ａを挿通可能なスリットＳ３が穿設されている。
【００３０】
上記した構成のロール紙容器の展開体１２をロール紙容器１に組み立てるには次のように行う。先ず、図５に示すように、胴部シート１３ａ〜１３ｆをそれぞれ折曲線Ｂ１〜Ｂ６で図４における奥行き方向に折曲形成して六角形状に形成し、接着片１３ａ３を胴部シート１３ｆの内面に接着剤等の適宜の接合手段によって接合する。
【００３１】
そして、胴部シート１３ａの挿入片１３ａ１，１３ａ２及び胴部シート１３ｃの挿入片１３ｃ１，１３ｃ２並びに胴部シート１３ｅの挿入片１３ｅ１を内方に屈曲形成するとともに、図６に示すように、第２底部シート１５を折曲線Ｂ１１で図４における奥行き方向に、かつ、胴部シート１３ｅ方向へ折曲形成し、第２底部シート１５の挿入片１５ａを挿入片１３ｃ１に形成したスリットＳ３に挿通し、同様に挿入片１５ｂを挿入片１３ａ１に形成したスリットＳ２に挿通して、第２底部シート１５と胴部３を連結する。
【００３２】
次に、第１底部シート１４の挿入片１４ａ，１４ｂ，１４ｃを内方に屈曲形成するとともに切込７ａ，７ｂを切り離して起立させ起立片６ａ，６ｂを形成する。そして、図７に示すように、第１底部シート１４を折曲線Ｂ７で図４における奥行き方向に、かつ、胴部シート１３ｂ方向へ折曲形成し、第２底部シート１５の切り込み１６ａ，１６ｂに起立片６ａ，６ｂを挿通するとともに、第１底部シート１４の挿入片１４ｂを胴部シート１３ｆ内に、又挿入片１４ｃを胴部シート１３ｄ内に挿入する。更に、挿入片１４ａを胴部シート１３ｅの折曲線Ｂ１１に形成したスリットＳ１に挿通して第１底部シート１４と第２底部シート１５及び胴部３を連結して、底部２を形成するとともに、底部２に起立片６ａ，６ｂを起立形成する。この起立片６ａ，６ｂは、ロール紙５の芯材を遊嵌して、ロール紙５を繰り出すことによって、現位置で回転可能に支持することが可能な形状と配置を有している。このように、底部２を第１底部シート１４と第２底部シート１５の２重構造とすることによってロール紙容器１に強度と剛性を付与することができる。なお、一対の開ループ状の切込７ａ，７ｂを切り離すことなく、又は一対のＵ字状の切込１６ａ，１６ｂに挿通することなく底部２を構成することも可能である。
【００３３】
更に、底部２を第１底部シート１４と第２底部シート１５の２重構造とすることなく、第１底部シート１４又は第２底部シート１５のどちらか一方のみから構成することも可能である。第１底部シート１４のみから底部２を構成するときは、切込７ａ，７ｂを切り離して起立させ起立片６ａ，６ｂを起伏自在に形成してもよく、或いは切込７ａ，７ｂを省略してもよい。また、第２底部シート１５のみから底部２を構成するときは、切り込み１６ａ，１６ｂは省略することができる。
【００３４】
最後に、蓋部シート１７を折曲線Ｂ１４で胴部シート１３ｂ方向に折曲形成し、蓋部シート１７の挿入片１７ｂを胴部シート１３ｆ内に、又挿入片１７ｃを胴部シート１３ｄ内に挿入する。更に、挿入片１７ａを胴部シート１３ｅの折曲線Ｂ２２に形成したスリットＳ４に挿通して蓋部４を形成して、図１に示すロール紙容器１が完成する。
【００３５】
上記構成のロール紙容器１に収納するロール紙５には、特に限定はなく、所定長さの薄葉紙を操出可能にロール状に巻回したものであれば、ロールティッシュ，トイレットペーパー，キッチンペーパー又はペーパータオル等の任意のものを収納することができる。好ましくは、起立片６ａ，６ｂに遊嵌可能な中空の芯材に操出可能にロール状に巻回したものが適当である。なお、トイレットペーパーとロールティッシュの相違は、前者が水解性が要求されるのに対して、後者にはその要求がなく、水解性，非水解性のどちらの素材もロール紙５として使用することができる点にある。
【００３６】
そこで、ロール紙５として、中空の芯材に操出可能にロール状に巻回したトイレットペーパーを収納するケースを例として、ロール紙容器１に収納したロール紙５の使用方法を図８〜図１０に基づいて説明する。先ず、上記構成のロール紙容器１にトイレットペーパーからなるロール紙５の中空の芯材を起立片６ａ，６ｂに遊嵌することによって底部２に回転可能に支持し、ロール紙５の先端を取出口８から繰り出し可能に収納する。そして、使用に際しては、取出口８からロール紙５の開放端部５ａを持って引っ張ることにより、ロール紙５は起立片６ａ，６ｂに支持されて現位置で回転し、ロール紙５を取出口８から取り出すことができる。必要量のロール紙５を繰り出した後、取出口カバー１０の波形に形成された開放端部１０ａを利用して切り取ることができる。
【産業上の利用可能性】
【００３７】
本考案にかかるロール紙容器に収納したロール紙によれば、トイレットペーパー等のロール紙を操出自在に収納することができるため、ロール紙を剥き出しのまま使用する不快感を解消し、更にはロール紙容器のデザインや意匠によって、ロール紙を身の回り品としておしゃれに使用することができる。そのため、ロール紙が持つ必要長さだけを最小限で、或いは任意の長さをエンドレスに繰り出すことができる利便性を最大限に活かすことができる。しかも、ロール紙の取出口は取出口カバーによって被覆されているため、取り出しが容易であるとともに、埃等の侵入を防ぐことができ、衛生的である。
【００３８】
また、ロール紙容器は、そのままロール紙の包装容器となり、輸送容器，保管容器としても機能し、購入者はそのまま使用容器として利用することができる。しかも、ロール紙の使用終了後も他の容器として転用したり、新たなロール紙を補充して再利用することが可能である。ロール紙容器に収納したロール紙は、芯材を起立片に遊嵌して収納することによってロール紙を現位置で回転させることができ、ロール紙の残量が少なくなっても円滑に繰り出して使用することが可能である。また、起立片は起伏可能であるため、不要の場合には伏臥させて使用することもできる。
【００３９】
また、本考案にかかるロール紙容器の展開体は平板状であり、必要に応じてワンタッチで立体的なロール紙容器に組み立てることができるため、ロール紙容器の輸送時や保管時における減容化を図ることができる。更に、廃棄時においても容易に平板状に分解できるため、廃棄が容易である。
【符号の説明】
【００４０】
１…ロール紙容器
２…底部
３…胴部
４…蓋部
５…ロール紙
６ａ，６ｂ…起立片
７ａ，７ｂ，９，１６ａ，１６ｂ…切込
７ｃ，１１…連接部
８…取出口
１０…取出口カバー
１０ａ…開放端部
１２…ロール紙容器の展開体
１３，１３ａ〜１３ｆ…胴部シート
１４…第１底部シート
１４ａ，１４ｂ，１４ｃ，１５ａ，１５ｂ，１７ａ，１７ｂ，１７ｃ…挿入片
１５…第２底部シート
１７…蓋部シート
Ｂ１〜Ｂ２２…折曲線
Ｓ１〜Ｓ４…スリット
【図１】
0003190242.tif 000003
【図２】
0003190242.tif 000004
【図３】
0003190242.tif 000005
【図４】
0003190242.tif 000006
【図５】
0003190242.tif 000007
【図６】
0003190242.tif 000008
【図７】
0003190242.tif 000009
【図８】
0003190242.tif 000010
【図９】
0003190242.tif 000011
【図１０】
0003190242.tif 000012